(57)【要約】【課題】  本考案の課題の１点目は、ペットの散歩の際に両手が塞がれることなく自由となり、糞の処理も容易に行うことができるペットの散歩用リードを提供することにある。２点目は、ペットを散歩させる状況やペットの大きさに応じて、リードの長さを自由に変更でき、片手で楽に持つことができるペットの散歩用リードを提供することにある。【解決手段】  リードの一端に設けた接続具をリード中間部の複数箇所に具備したリングのうちの一つに連結することにより、飼主がリードを肩から腋の下に向けて襷がけしたり、腰部に装着することができ、両手を塞ぐことなくペットを散歩させることが可能となる。また、リード一端に設けた接続具をリード中間部の複数箇所に具備したリングにそれぞれ通した後、リード他端付近に具備したリングに連結することにより、リードがたるんだり絡んだりすることなく、リードの長さを約半分にして、片手で楽に持つことが可能となる。【選択図】図１
0003137299.tif 000002
【実用新案登録請求の範囲】
【請求項１】
リードの一端に近い位置とリードの中間部の複数箇所にリング（丸カンやＤカン等）を具備し、リードの両端には前記リングに連結するための接続具を設けたことを特徴とするペットの散歩用リード。
【請求項２】
リードの中間部に具備したリングの直径が、リードの帯状体部分と、リード両端に設けた接続具と、リードの一端に近い位置に具備したリングの幅よりも大きく、それらを中に通すことが可能であることを特徴とした請求項１に記載のペットの散歩用リード。
【考案の詳細な説明】
【技術分野】
【０００１】  この考案は、犬等のペット（愛玩動物）を飼主等が散歩させる際に使用するペットの散歩用リードに関する。
【背景技術】
【０００２】  飼主がペット、例えば、犬を野外に連れて散歩させる際には、犬の首回りに装着されている首輪に対して紐、ベルト、ロープ等から成るリードの一端を連結し、リードの他端を飼主が手に持って散歩させているのが普通である。【０００３】  しかし、飼主がリードの一端を手に持つことにより、犬の散歩の際には少なくとも片方の手は塞がれた状態である。従って、雨の日の散歩で傘を持っていたり、散歩の途中で買い物をして手荷物がある場合には両手が塞がれた状態となり、不便を来たしている。特に、犬が散歩の途中で糞をして、その処理をする際には片手や両手が塞がれていると、その処理に不便を感じている。【０００４】  また、人混みや車の往来が多い場所で犬を散歩させる場合、犬が暴れたり他人に噛み付いたりしないために、リードの中間部を手に持って飼主側に引き寄せるか、リードを手に巻きつかせて短く持たねばならず、飼主の両手が塞がったり手を痛めたりして不便を感じている。
【考案の開示】
【考案が解決しようとする課題】
【０００５】  この考案は、前記事情に着目してなされたもので、その目的とするところの１点目は、犬等のペット散歩の際に、両手が塞がれることなく自由となり、雨の日の散歩や手荷物を持っての散歩でも両手を使用でき、糞の処理も容易に行うことができるペットの散歩用リードを提供することにある。【０００６】  ２点目は、ペットを散歩させる状況やペットの大きさに応じて、リードの長さを自由に変更でき、片手で楽に持つことができるペットの散歩用リードを提供することにある。
【課題を解決するための手段】
【０００７】  この考案は、リードの一端に設けた接続具をリード中間部の複数箇所に具備したリングのうちの一つに連結することにより、飼主がリードを肩から腋の下に向けて襷がけしたり、腰部に装着することが可能となり、両手を塞ぐことなくペットを散歩させることができるペットの散歩用リードにある。【０００８】  このように構成されたペットの散歩用リードによれば、リードの一端に設けた接続具をペットの首輪の接続環に連結し、また、リードの他端に設けた接続具を散歩させる飼主の肩から腋に向けて襷がけするか、腰部に廻して、リード中間部のリングに連結する。これによって犬と飼主はリードを介して繋がった状態となる。【０００９】  この状態で、犬を屋外に連れて散歩させることができ、このときリードは飼主の肩から腋に向けて襷がけされているか、腰部に装着されているため、飼主はリードを手に持つことなく、両手を自由に使うことができる。【００１０】  また、リードの一端に設けた接続具をリード中間部の複数箇所に具備したリングにそれぞれ通した後、リングに通した接続具をリード他端付近に具備したリングに連結することにより、リードがたるんだり絡んだりすることなく、リードの長さを約半分にして、片手で楽に持つことができ、人混みや車の往来が多い場所でも安全にペットを散歩させることができる。
【考案の効果】
【００１１】  上記のように、この考案によれば、リードの一端に設けた接続具をリード中間部の複数箇所に具備したリングのうちの一つに連結することにより、飼主がリードを肩から腋の下に向けて襷がけしたり、腰部に装着することができ、犬等のペットの散歩の際に、両手が塞がれることなく自由となり、雨の日の散歩や手荷物を持っての散歩でも両手を使用でき、糞の処理も容易に行うことができるという効果がある。【００１２】  また、リードの一端に設けた接続具をリード中間部の複数箇所に具備したリングにそれぞれ通した後、リングに通した接続具をリード他端付近に具備したリングに連結することにより、リードがたるんだり絡んだりすることなく、リードの長さを約半分にして、片手で楽に持つことができ、人混みや車の往来が多い場所でも安全にペットを散歩させることができるという効果がある。
【考案を実施するための最良の形態】  以下、この考案の各実施の形態を図面に基づいて説明する。【００１３】  図１はペットの散歩用リードの斜視図、図２は飼主がリードを肩から腋の下に向けて襷がけして犬を散歩させている状態を示す図、図３は飼主がリードを腰部に装着して犬を散歩させている状態を示す図、図４は飼主がリードの長さを約半分にして片手で持ち、犬を散歩させている状態を示す図である。犬９の首回りに装着されている首輪７の接続環８にはリードの一端に設けた接続具１が着脱可能に連結されている。リードは皮、布あるいは合成樹脂材料からなる帯状体で、他端には接続具６が設けられている。【００１４】  リードの中間部にはリング３、４、５を具備しており、リードの一端に設けた接続具６をリング４に連結することにより、飼主１０の肩から腋の下に向けてリードを襷がけすることが可能となる。【００１５】  リードの中間部にはリング３、４、５を具備しており、リードの一端に設けた接続具６をリング５に連結することにより、飼主１０の腰部にリードを装着することが可能となる。【００１６】  上記の状態で、犬９を屋外に連れて散歩させることができ、このときリードは飼主１０の肩から腋の下に向けて襷がけされているか、腰部に装着されているため、散歩をさせる飼主１０はリードを手に持つことなく、両手１１、１２を自由に使うことができる。従って、雨の日の散歩で片手に傘を持っていたり、手荷物を持っての散歩でも両手１１、１２が塞がれることはない。また、犬９が散歩中に道路等へ糞をしても、その処理に両手１１、１２を使うことができ、処理を簡単に行うことができる。【００１７】  リードの一端付近にはリング２を、リードの中間部にはリング３、４を具備しており、リードの他端に設けた接続具６をリング３、４にそれぞれ通した後、接続具６をリードの一端付近に具備したリング２に連結することにより、リードを約半分の長さにして片手で楽に持つことが可能となる。【００１８】  この状態だと、リードがたるんだり絡んだりすることなく短くでき、人混みや車の往来が多い場所でも犬９を安全に散歩させることができる。【００１９】  また、前記実施形態においては、ペットとして犬を散歩する場合について説明したが、猫等の愛玩動物の散歩に適用できることは勿論であり、愛玩動物の種類、大きさによってリードの材質、サイズを変更することが可能である。【００２０】  リードの中間部の複数箇所に具備しているリング３、４、５は、リードのサイズに応じてその個数や取り付け位置を変更することが可能である。【００２１】  また、接続具６をリードの中間部のリング４もしくはリング５に連結して、飼主１０がリードを肩から腋の下に向けて襷がけしたり、胴部に装着して、犬９を散歩させる場合について説明したが、買い物等で犬９を一時的に木や電柱などにつないでおく際にも使用することが可能である。【００２２】  なお、リードの長さを変更する際には、リード一端の接続具６をリード他端付近に具備したリング２に連結してリードの長さを約半分にするだけでなく、使用状況に応じてリードの中央部に具備したリング３、４にも連結し、リードの長さを自由に変更することができる。
【図面の簡単な説明】
【００２３】
【図１】この考案のペットの散歩用リードの斜視図。
【図２】この考案の第一の実施形態を示し、飼主がリードを肩から腋の下に向けて襷がけし、犬を散歩させている状態を示す図。
【図３】この考案の第二の実施形態を示し、飼主がリードを腰部に装着し、犬を散歩させている状態を示す図。
【図４】この考案の第三の実施形態を示し、飼主がリードを短くして片手で持ち、犬を散歩させている状態を示す図。
【符号の説明】
【００２４】  １  リード一端の接続具
２  リード一端付近のリング
３  リード中間部のリング
４  リード中間部のリング
５  リード中間部のリング
６  リード他端の接続具
７  犬の首輪
８  犬の首輪の接続環
９  犬
１０  飼主
１１  飼主の右手
１２  飼主の左手
【図１】
0003137299.tif 000003
【図２】
0003137299.tif 000004
【図３】
0003137299.tif 000005
【図４】
0003137299.tif 000006
【手続補正書】
【提出日】平成19年8月17日(2007.8.17)
【手続補正１】
【補正対象書類名】実用新案登録請求の範囲
【補正対象項目名】全文
【補正方法】変更
【補正の内容】
【実用新案登録請求の範囲】
【請求項１】
リードの一端に近い位置とリードの中間部の複数箇所にリングを具備し、リードの両端には前記リングに連結するための接続具を設けたことを特徴とするペットの散歩用リード。
【請求項２】
リードの中間部に具備したリングの直径が、リードの帯状体部分と、リード両端に設けた接続具と、リードの一端に近い位置に具備したリングの幅よりも大きく、それらを中に通すことが可能であることを特徴とした請求項１に記載のペットの散歩用リード。